(57)【要約】【課題】特に異なる色からなる貼り絵用シールセットを提供する。【解決手段】本考案に係る貼り絵用シールセットは、複数の幾何学形状のシール（１０）を有し、該複数のシール（１０）はそれぞれ異なる色からなることを特徴とする。【選択図】図１
0003126439.tif 000002
【実用新案登録請求の範囲】
【請求項１】
複数の幾何学形状のシール（１０）を有し、該複数のシール（１０）はそれぞれ異なる色からなることを特徴とする貼り絵用シールセット。
【請求項２】
更にベース（３０）を含み、該ベース（３０）は、紙、キャンバス、或いはその他の平面状のものであることを特徴とする請求項１に記載の貼り絵用シールセット。
【請求項３】
前記幾何学形状は、少なくとも多辺形、円形、波形、星形及びそれらの組み合わせの群から選択することを特徴とする請求項１又は２に記載の貼り絵用シールセット。
【考案の詳細な説明】
【技術分野】
【０００１】
本考案は、特に異なる色からなる貼り絵用シールセットに関するものである。
【背景技術】
【０００２】
一般に絵を描く時は、水彩絵の具、マーカー、油絵の具、或いはポスターカラーなどを用い、紙やキャンバス、その他の平面状のものなどのベースに既に描かれているパターンに従って着色する、或いは紙やキャンバス、その他の平面状のものなどのベースに直接顔料で絵を描いている。
【考案の開示】
【考案が解決しようとする課題】
【０００３】
しかしながら、前記水彩絵の具、マーカー、油絵の具、或いはポスターカラーなどで絵を描く時は、複数の筆や工具を組み合わせて用いる必要があり、上手に絵を描いたり、複数の筆や工具を使いこなしたり、所望の色に調合したりするには、経験が非常に重要となる。
【０００４】
更に、例えば、前記マーカーに使用されている有機溶剤及び一部の顔料は、有毒成分であることから、子供が絵を描く時には特に危険である。その上、如何なる種類の顔料であっても、絵を描く時には、着衣やその周辺を汚してしまい、それら大部分の顔料は、時間が経っても退色しないので、、衣類になどに染み込んでしまうと、洗濯してもなかなか落とすことができない。
【課題を解決するための手段】
【０００５】
本考案の第１考案は、複数の幾何学形状のシール（１０）を有し、該複数のシール（１０）はそれぞれ異なる色からなることを特徴とする貼り絵用シールセットを提供するものであり、
本考案の第２考案は、更にベース（３０）を含み、該ベース（３０）は、紙、キャンバス、或いはその他の平面状のものであることを特徴とする本考案の第１考案に記載の貼り絵用シールセットを提供するものであり、
本考案の第３考案は、前記幾何学形状は、少なくとも多辺形、円形、波形、星形及びそれらの組み合わせの群から選択することを特徴とする本考案の第１考案又は第２考案に記載の貼り絵用シールセットを提供するものである。
【考案の効果】
【０００６】
本考案は上記の課題を解決するものであり、複数の幾何学形状のシールを有し、該複数のシールはそれぞれ異なる色からなり、更にベースを含み、該ベースは、紙、キャンバス、或いはその他の平面状のものである。制作時は、ベース上にパターンを描き、該パターンに従ってシールを貼っていく。この時、ベース上には制作者の思いのままに、異なる形状、異なる色のシールを貼り合わせていくので、貼り絵により制作者の考えを自由に表現できる。
【０００７】
本考案の、複数の色、複数の幾何学形状を有する貼り絵用シールセットは、美しいパターンを容易に描くことができ、貼り絵を制作する時も、シールの貼着作業が極めて簡単であるので、幼児教育、特に美術教育などにも役立つ。また、貼り絵は、顔料を使用しないので、周囲を汚す心配はなく、有毒な顔料による幼児への影響も全くない。一方、大人に対しては、従来のように顔料を所望の色に調合するなどの面倒な作業をしなくてもよく、シールを貼り間違えた箇所には、その上から新たにシールを貼り重ねるだけでよいので、制作者によっても非常に楽である。
【０００８】
また、前記ベースは黒色であり、従来のような白い紙やキャンバスなどより、色が鮮明に現れるので、非常に明るく見える。更に、前記幾何学形状は、少なくとも多辺形、円形、波形、星形及びそれらの組み合わせの群から選択するものであり、形状が非常に豊富である。
【０００９】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【考案を実施するための最良の形態】
【００１０】
以下、添付図面を参照して本考案の好適な実施の形態を詳細に説明する。
【実施例】
【００１１】
図１は本考案に係る貼り絵用シールセットの実施例の平面図であり、図２は本考案に係る貼り絵用シールセットの他の実施例の平面図であり、図３は本考案に係る貼り絵用シールセットの使用状態を示す平面図である。
【００１２】
図１の実施例に示すように、本考案の貼り絵用シールセットは、複数の幾何学形状のシール（１０）を有し、該複数の異なる形状のシール（１０）は、製造上、使用上の利便性を考慮し、シールセット（２０）上に配設され、該シールセット（２０）には、複数の色を有する。そして、本考案を使用する時は、異なる色のシールセット（２０）を複数枚用意し、該異なる色のシールセット（２０）上に配設される異なる色のシール（１０）を剥がして、それらのシール（１０）を組み合わせることにより、制作者の表現を図案にする。
【００１３】
また、本実施例では、前記シールセット（２０）上に正六角形、台形、円形、星形、波形、三角形、長方形、正方形及び五角形のシール（１０）が、ホワイト、レッド、グリーン、イエロー、オレンジ、ブルー、グレー、パープル、ブラウン、ピンク、イエローグリーン、クロムイエロー及びスカイブルーなどの色を有するシールセット（２０）に配設される。
【００１４】
図２に示すように、本実施例によりシールセット（２０）を製造する時は、該シールセット（２０）上におけるシール（１０）以外の部分を空白にし、該シール（１０）を突出状にして使用者が剥がし易いようにする。
【００１５】
図３に示すように、前記シールセット（２０）から剥がしたシール（１０）は、その裏面に塗布されている接着剤（図示せず）又は静電気のみにより、黒色のベース（３０）上に貼るが、この時、異なる形状と異なる色の組み合わせることにより、制作者の表現を図案にする。尚、制作時には、必ずしも全ての色のシールを使用する必要はなく、制作者の満足できる作品ができればそれでよい。例えば、ホワイト及びグレーのシールセット（２０）における長方形のシール（１０）を横方向に、且つ平行に重ねるように貼り合せて、花壇の形状を作り、続いてグリーン、バーダントグリーン、ブラウンなどのシールセット（２０）における長方形及び波形のシール（１０）を、長手方向に繋げて、枝や藤蔓のように組み合わせ、この後、幾つかの工程を経て、貼り絵を完成させる。こうすることにより、前記黒色のベース（３０）に貼り付けたシール（１０）の色が非常によく映える。
【００１６】
上述したように、本考案の貼り絵用シールセットは、異なるシールセットにおけるシール同士を組み合わせることにより、制作者の望む貼り絵を表現することができる。
【図面の簡単な説明】
【００１７】
【図１】本考案に係る貼り絵用シールセットの実施例の平面図である。
【図２】本考案に係る貼り絵用シールセットの他の実施例の平面図である。
【図３】本考案に係る貼り絵用シールセットの使用状態を示す平面図である。
【符号の説明】
【００１８】
１０        シール
２０        シールセット
３０        ベース
【図１】
0003126439.tif 000003
【図２】
0003126439.tif 000004
【図３】
0003126439.tif 000005